(57)【要約】【課題】コーナー部分における壁パネルの取り付け位置を簡単に決めることができて、現場での施工を簡単にすることができる壁パネルの取付構造を提供することにある。【解決手段】床パンなどの床縁部（１７）でそのコーナー部分に設置されるコーナー下ブロック（５）があって、このコーナー下ブロック（５）を予め設置してから、周囲に後方へ折り返された折り返し部（２）を有する壁パネル（１）を建て込む際に、同壁パネル（１）の折り返し部（２）が当接する一対のストッパー片（９）を上記コーナー下ブロック（５）に設けた。【選択図】    図１
2005009228.tif 000002
【特許請求の範囲】
【請求項１】
床パンなどの床縁部でそのコーナー部分に設置されるコーナー下ブロックがあって、このコーナー下ブロックを予め設置してから、周囲に後方へ折り返された折り返し部を有する壁パネルを建て込む際に、同壁パネルの折り返し部が当接する一対のストッパー片を上記コーナー下ブロックに設けたことを特徴とする壁パネルの取付構造。
【請求項２】
上記コーナー下ブロックが、中央部に継ぎ目溝を有しているものであることを特徴とする請求項１記載の壁パネルの取付構造。
【発明の詳細な説明】
【０００１】
【発明の属する技術分野】
本発明は、壁パネルの取付構造に関し、具体的には、ユニットバスルームなどの建物のコーナー部分において壁パネルを確実に取り付けるのに有用な壁パネルの取付構造に関するものである。
【０００２】
【従来の技術】
従来の壁パネルの取付構造としては、例えば、下記の特許文献１に示されている特開２００３−２７６３２号公報のようなものが知られていた。具体的には、図１０に示すごとく、引っ掛け部（１５）と、壁パネル（１）を取り付けた際に後方から押さえる押さえ片（１６）とを有している接続ブロック（１４）があって、この接続ブロック（１４）がユニットバスルームなどの建物のコーナー部分に予め図１１に示すごとき引っ掛け部（１５）を床縁部（１７）に引っ掛けることで設置されていたものであり、同接続ブロック（１４）の両端に壁パネル（１）の周囲に後方へ折り返された折り返し部（２）の端部を引っ掛けるようにして差し込んでなるものであった。
【０００３】
また、図１１に示すごとく、上記床縁部（１７）の水平部分に防水性を高めることと、上記壁パネル（１）が設置されやすいようにシリコンやソフトテープなどの固定部材（１０）が貼り付けられていて、この固定部材（１０）に同壁パネル（１）の折り返し部（２）のうち、下端側が載せられて貼着されるようになっていてもかまわないものであった。
【０００４】
【特許文献１】
特開２００３−２７６３２号公報
【０００５】
【発明が解決しようとする課題】
ところで、このような従来の壁パネルの取付構造においては、ユニットバスルームなどの施工現場内で引っ掛け部（１５）を床縁部（１７）に引っ掛けるだけで接続ブロック（１４）を簡単に設置することができるものであり、しかも、壁パネル（１）を図１１の矢印に示すように施工現場内で斜め上方から取り付けていくだけで、施工現場の外側には作業スペースを必要とすることがないものの、壁パネル（１）どうしの間隔をはかりながら接続ブロック（１４）に対して取り付けていかなければ、コーナー部分での取り付けがうまくいかないものであり、結果として、壁パネル（１）の取り付け位置としては簡単に決めることができなくて、同壁パネル（１）の位置出しが難しく、よって、現場での施工としては面倒なものであった。
【０００６】
本発明は、上述の問題を解決するためになされたものであって、その目的とするところは、コーナー部分における壁パネルの取り付け位置を簡単に決めることができて、現場での施工を簡単にすることができる壁パネルの取付構造を提供するものである。
【０００７】
【課題を解決するための手段】
本発明の請求項１に係る壁パネルの取付構造は、床パンなどの床縁部（１７）でそのコーナー部分に設置されるコーナー下ブロック（５）があって、このコーナー下ブロック（５）を予め設置してから、周囲に後方へ折り返された折り返し部（２）を有する壁パネル（１）を建て込む際に、同壁パネル（１）の折り返し部（２）が当接する一対のストッパー片（９）を上記コーナー下ブロック（５）に設けたことを特徴とする。
【０００８】
本発明の請求項２に係る壁パネルの取付構造は、上記コーナー下ブロック（５）が、中央部に継ぎ目溝（４）を有しているものであることを特徴とする。
【０００９】
【発明の実施の形態】
以下、本発明を実施形態に係る図面に基づいて詳しく説明する。
【００１０】
図１は、本発明の一実施形態に係る壁パネルの取付構造を示した分解斜視図である。図２は、図１の壁パネルの取付構造の要部のみを示した分解斜視図である。図３は、本発明の一実施形態に係る壁パネルの取付構造において、コーナー部分の壁パネルが取り付けられた後、目地材が取り付けられる際の様子を示した斜視図である。図４は、本発明の一実施形態に係る壁パネルの取付構造において、コーナー部分の壁パネルが取り付けられた後の様子を示し、背面側から見た斜視図である。図５は、本発明の一実施形態に係る壁パネルの取付構造において、コーナー下プロックに支柱ジョイナーが取り付けられる際の様子を示した要部斜視図である。図６の（ａ）は、床縁部にコーナー下プロックや壁パネルが取り付けられた際の様子を示した要部断面図であり、図６の（ｂ）は、同図６の（ａ）の正面側から見た斜視図である。図７は、本発明の一実施形態に係る壁パネルの取付構造において、支柱ジョイナー付近の上部を示した斜視図である。図８は、本発明の一実施形態に係る壁パネルの取付構造において、支柱ジョイナー付近の上部を示した断面図である。図９は、本発明の壁パネルの取付構造に用いられる一実施形態に係るコーナー下ブロックを示した斜視図である。
【００１１】
本発明の壁パネルの取付構造は、ユニットバスルームなどの建物のコーナー部分において壁パネル（１）を確実に取り付けるのに有用なものであって、具体的には、図１ないし図９に示すごとく、床パンなどの床縁部（１７）でそのコーナー部分に設置されるコーナー下ブロック（５）があって、このコーナー下ブロック（５）を予め設置してから、周囲に後方へ折り返された折り返し部（２）を有する壁パネル（１）を建て込む際に、同壁パネル（１）の折り返し部（２）が当接する一対のストッパー片（９）を上記コーナー下ブロック（５）に設けているものである。
【００１２】
上記壁パネル（１）は、図１ないし図４に示すごとく、折り返し部（２）および切欠（３）を有しているものである。この壁パネル（１）の表面は、意匠上様々な化粧が施されていてもかまわないものである。この壁パネル（１）の材質としては、通常ステンレスなどの金属製のものが採用されるものであるが、その他にも樹脂製のものが使用されたとしてもかまわないものである。この壁パネル（１）が、ユニットバスルームなどの施工現場内で床パンなどの床縁部（１７）に設置されるようになっているものである。なお、床縁部（１７）には、防水性を高めることと、壁パネル（１）が設置されやすいようにシリコンやソフトテープなどの固定部材（１０）が貼り付けられていて、この固定部材（１０）に同壁パネル（１）の折り返し部（２）のうち、下端側が載せられて貼着されるようになっていてもかまわないものである。
【００１３】
上記折り返し部（２）は、図１ないし図４に示すごとく、上記壁パネル（１）の周囲に後方へ折り返されたものである。この折り返し部（２）の形状は、同図に示したように上下方向のものと水平方向のものとでは異なっていてもかまわないものである。例えば、上下方向の折り返し部（２）の先端部は、断面略三角形状に折り返されて形成されているものであるが、水平方向の折り返し部（２）は、断面略Ｌ字型形状に折り返されて形成されているものである。
【００１４】
上記切欠（３）は、図１ないし図３に示すごとく、上記折り返し部（２）の下端部に後方側を切り欠いて形成されたものである。具体的には、この切欠（３）は、上下方向の折り返し部（２）の下端部において後方側を切り欠いているものである。この切欠（３）が存在することによって、後述するごときコーナー下ブロック（５）と噛み合い、同コーナー下ブロック（５）に対して上記壁パネル（１）がうまく納まる上で有用なものである。
【００１５】
上記コーナー下ブロック（５）は、図１、図５、図６の（ａ）と（ｂ）および図９などに示すごとく、床縁部（１７）でそのコーナー部分に設置されるものである。このコーナー下ブロック（５）としては、例えば、図６に示すごとき床縁部（１７）の上端縁に引っ掛けて取り付けられる引っ掛け部（１５）を有しており、この引っ掛け部（１５）を床縁部（１７）の上端縁に引っ掛けることで取り付けられるようになっているものである。このコーナー下ブロック（５）の材質としては、通常ある程度の弾力性と防水性などを有している樹脂製のものが採用されるものであるが、その他にもある程度の弾力性と防水性などを有していれば、金属製のものであってもかまわないものである。
【００１６】
なお、上記壁パネル（１）において、コーナー部分以外の他端側などには、図２および図４に示すごとく、同壁パネル（１）ががたつくことなく納められるように、必要に応じて、１個ないし複数個のクリップブロック（７）が取り付けられているものである。
【００１７】
上記ストッパー片（９）は、図１、図２、図８および図９などに示すごとく、一対形成されているものであって、上記壁パネル（１）の折り返し部（２）が当接するものである。このストッパー片（９）は、上記コーナー下ブロック（５）と一体に作られたものであってもかまわないし、上記壁パネル（１）の折り返し部（２）が当接して、同ストッパー片（９）自体が外れたりすることがないものであれば、別途上記コーナー下ブロック（５）に取り付け固定された別体のものであってもかまわず、支障はないものである。
【００１８】
また、上記コーナー下ブロック（５）の上には、図１、図４および図５に示すごとく、支柱ジョイナー（６）が装着されるものである。この支柱ジョイナー（６）は、コーナー部分に配置される上記壁パネル（１）どうしの間に跨って、その間の継ぎ目部分（１１）で後方側から支えているものである。この支柱ジョイナー（６）と上記壁パネル（１）とは、図７に示すごとく、取り付け施工が完結後、同支柱ジョイナー（６）の嵌合部（１３）と上記壁パネル（１）の折り返し部（２）にて互いに嵌まり合っており、確実な取り付け固定がなされているものである。なお、この支柱ジョイナー（６）としては、通常ステンレスなどの金属製のものが採用されるものであるが、その他にも支柱としての強度を有するものであれば、樹脂製のものが使用されたとしてもかまわないものである。
【００１９】
そして、上記支柱ジョイナー（６）には、図１、図３および図４に示すごとく、コーナー上ブロック（８）が配置されているものである。このコーナー上ブロック（８）は、上記支柱ジョイナー（６）の上端に装填されているものである。このコーナー上ブロック（８）の材質としては、通常ある程度の弾力性と防水性などを有している樹脂製のものが採用されるものであるが、その他にもある程度の弾力性と防水性などを有していれば、金属製のものであってもかまわないものである。
【００２０】
上記壁パネル（１）どうしの継ぎ目部分（１１）には、通常、図３および図８に示すごとく、目地材（１２）が金槌、ハンマーなどの固定用具を用いて取り付けられるものであるが、この目地材（１２）が取り付けられる前に、シリコンなどのシーリング材を予め塗布しておけば防水性などの点で良いことは言うまでもないことである。
【００２１】
そして、上記コーナー上ブロック（８）が上記支柱ジョイナー（６）の上端に装填されていることで、図３に示すごとく、上記継ぎ目部分（１１）の手前側に形成される目地の幅を一定に確保することができて、上述した目地材（１２）などを取り付けて施工を仕上げる上で非常に好ましいものである。
【００２２】
本発明は、このような構成をとることによって、壁パネル（１）を建て込む際に、同壁パネル（１）の折り返し部（２）をストッパー片（９）に当接するだけで設置させることができるものであり、同壁パネル（１）どうしの間隔をはかりながら取り付けを行う必要はなく、同壁パネル（１）の取り付け位置としては簡単に決めることができるものとなる。
【００２３】
すなわち、本発明は、コーナー部分における壁パネル（１）の取り付け位置を簡単に決めることができて、現場での施工を簡単にすることができるものである。
【００２４】
なお、建物のコーナー部分において、壁パネル（１）の取り付け手順としては、引っ掛け部（１５）を床縁部（１７）の上端縁に引っ掛けることでコーナー下ブロック（５）を設置してから、一方側の壁パネル（１）を建て込み、支柱ジョイナー（６）を取り付け、次いで、隣接するもう一方側の壁パネル（１）を建て込み、コーナー上ブロック（８）を支柱ジョイナー（６）の上端に装填して一応の施工が完結するものである。そして、その後に、図３に示すごとき壁パネル（１）どうしの継ぎ目部分（１１）に目地材（１２）が必要に応じて装着されてもかまわないものである。
【００２５】
ところで、図１、図２、図６の（ｂ）、図８および図９に示すごとく、上記コーナー下ブロック（５）が、中央部に継ぎ目溝（４）を有していると、上述した一対のストッパー片（９）が継ぎ目溝（４）を介して一定の間隔をあけて形成されるものであり、このそれぞれのストッパー片（９）に当接する壁パネル（１）どうしの間も常に一定の間隔を確実にあけて設置することができるものであり、結果として、壁パネル（１）どうしの継ぎ目部分（１１）が一定に形成されて、目地材などを納めて外観上で見栄えの良い納まりにすることができるものである。
【００２６】
【発明の効果】
本発明の請求項１に係る壁パネルの取付構造によると、壁パネル（１）を建て込む際に、同壁パネル（１）の折り返し部（２）をストッパー片（９）に当接するだけで設置させることができるものであり、同壁パネル（１）どうしの間隔をはかりながら取り付けを行う必要はなく、同壁パネル（１）の取り付け位置としては簡単に決めることができるものとなる。
【００２７】
すなわち、本発明は、コーナー部分における壁パネル（１）の取り付け位置を簡単に決めることができて、現場での施工を簡単にすることができるものである。
【００２８】
本発明の請求項２に係る壁パネルの取付構造によると、請求項１記載の場合に加えて、一対のストッパー片（９）が継ぎ目溝（４）を介して一定の間隔をあけて形成されるものであり、このそれぞれのストッパー片（９）に当接する壁パネル（１）どうしの間も常に一定の間隔を確実にあけて設置することができるものであり、結果として、壁パネル（１）どうしの継ぎ目部分（１１）が一定に形成されて、目地材などを納めて外観上で見栄えの良い納まりにすることができるものである。
【図面の簡単な説明】
【図１】本発明の一実施形態に係る壁パネルの取付構造を示した分解斜視図である。
【図２】図１の壁パネルの取付構造の要部のみを示した分解斜視図である。
【図３】本発明の一実施形態に係る壁パネルの取付構造において、コーナー部分の壁パネルが取り付けられた後、目地材が取り付けられる際の様子を示した斜視図である。
【図４】本発明の一実施形態に係る壁パネルの取付構造において、コーナー部分の壁パネルが取り付けられた後の様子を示し、背面側から見た斜視図である。
【図５】本発明の一実施形態に係る壁パネルの取付構造において、コーナー下プロックに支柱ジョイナーが取り付けられる際の様子を示した要部斜視図である。
【図６】（ａ）は、床縁部にコーナー下プロックや壁パネルが取り付けられた際の様子を示した要部断面図であり、（ｂ）は、（ａ）の正面側から見た斜視図である。
【図７】本発明の一実施形態に係る壁パネルの取付構造において、支柱ジョイナー付近の上部を示した斜視図である。
【図８】本発明の一実施形態に係る壁パネルの取付構造において、支柱ジョイナー付近の上部を示した断面図である。
【図９】本発明の壁パネルの取付構造に用いられる一実施形態に係るコーナー下ブロックを示した斜視図である。
【図１０】従来例に係る壁パネルの取付構造に用いられる接続ブロックを示した斜視図である。
【図１１】図１０の従来例に係る壁パネルの取付構造において、壁パネルが取り付けられる際の様子を示した斜視図である。
【符号の説明】
１    壁パネル
２    折り返し部
５    コーナー下ブロック
９    ストッパー片
１７  床縁部
【図１】
2005009228.tif 000003
【図２】
2005009228.tif 000004
【図３】
2005009228.tif 000005
【図４】
2005009228.tif 000006
【図５】
2005009228.tif 000007
【図６】
2005009228.tif 000008
【図７】
2005009228.tif 000009
【図８】
2005009228.tif 000010
【図９】
2005009228.tif 000011
【図１０】
2005009228.tif 000012
【図１１】
2005009228.tif 000013